(57)【要約】【課題】本発明は、特に下方移動キャスターが床敷レールより走行不能とならず、かつ吊り戸用移動キャスター及び下方移動キャスターが円滑に嵌合移動することが可能な引き戸及びその取付構造を提供すること。【解決手段】ドア上方部に吊り戸用移動キャスター１２を有し、かつドア下方部に床敷レール１６、１９に沿って滑動移動する下方移動キャスターを有する引き戸１であって、前記ドア上方部の吊り戸用移動キャスター１２は、吊りレール１３内において嵌合移動する移動用滑車１２１を有し、前記ドア下方部の下方移動キャスター１５は、床敷レール１６、１９内又は床敷レール１６上を嵌合移動する移動用滑車、１５１、１８を有することを特徴とする引き戸１及びその取付構造を提供するものである。【選択図】図１
2005042304.tif 000002
【特許請求の範囲】
【請求項１】
ドア上方部に吊り戸用移動キャスターを有し、かつドア下方部に床敷レールに沿って滑動移動する下方移動キャスターを有する引き戸であって、
前記ドア上方部の吊り戸用移動キャスターは、吊りレール内において嵌合移動する移動用滑車を有し、
前記ドア下方部の下方移動キャスターは、床敷レール内又は床敷レール上を嵌合移動する嵌合移動を有することを特徴とする引き戸。
【請求項２】
ドア上方部の吊り戸用移動キャスターは、略扁平中空長方体の下端両側において突出して形成された滑動移動レール部の上を移動用滑車が嵌合移動するよう構成されていることを特徴とする請求項１に記載の引き戸。
【請求項３】
ドア下方部の下方移動キャスターは、床敷レールの底面滑動凸部の上を嵌合移動する移動用滑車又は床敷レールの底面上方開放の略扁平中空長方体の内部において、水平移動回動するよう移動用滑車が構成されていることを特徴とする請求項１に記載の引き戸。
【請求項４】
吊りレール及び床敷レールは、少なくとも移動用滑車が嵌合移動する部分においては、耐摩耗性被膜、摺動円滑性被膜のいずれか、又は双方を有することを特徴とする請求項１〜請求項３に記載の引き戸。
【請求項５】
吊りレール及び床敷レールは、その両端部において、磁性体、板ばね、弾性プラスチックのいずれかにより構成されている移動用滑車のストッパーが配設されていることを特徴とする請求項１から請求項４のいずれかに記載の引き戸。
【請求項６】
ドア枠と、少なくとも該ドア枠に取付け固定された吊りレールと、ドア枠又は床面内に埋め込み嵌入して取付け固定された床敷レールと、ドア上方部に吊り戸用移動キャスターとドア下方部に下方移動キャスターとを有する引き戸とにより、少なくとも構成されたことを特徴とする引き戸の取付構造。
【請求項７】
第一工程として床面内に埋め込み嵌入して取付け固定された床敷レールと、第二工程として床敷レール上又は床敷レール内に下方移動キャスターを配設される引き戸と、第三工程として該引き戸のドア上方部に配設される吊り戸用移動キャスターを吊りレールの滑動移動レール部に移動用滑車を配設して嵌合移動できる状態にする吊りレールと、第四工程として吊りレールをドア上方部のドア枠に取付け固定してなることを特徴とする請求項６に記載の引き戸の取付構造。
【発明の詳細な説明】
【０００１】
【発明の属する技術分野】
本発明は、特に下方移動キャスターが床敷レールより脱輪して走行不能とならず、かつ吊り戸用移動キャスター及び下方移動キャスターが円滑に嵌合移動することが可能な引き戸及びその取付構造に関する。
【０００２】
【従来の技術】
従来の引き戸９は、図５に示すごとく、特許文献１によれば、開口枠９０に配設されたガイドレール９１に案内され、開放時には、これに隣接した壁面９２に重ね合わせるように収納され、前記ガイドレール９１は、引戸９の方向変更のために前後方向に折り曲げられている。
【０００３】
そして、ガイドレール９１は、図５に示すごとく、第１ガイドレール９１１と、第２ガイドレール９１２とに分離されている。
そのため、開放時から閉止時に移行するに当っては、引き戸９の先端部９３が後端部９４よりも先に開口枠９０から離間するように構成されている。開口部の両側においては、ドア枠９１１が配設されている。
【０００４】
一方、非特許文献２などによれば、図６及び図７に示すごとく、移動用滑車９５は一般に凹状レール９６の上を嵌合移動するタイプと凸状レール９７の上を嵌合移動するタイプとがある。
なお、同図において、床面内９８に接着剤９９を介在して上記凹状レール９６及び凸状レール９７は取付け固定されている。
【０００５】
【特許文献１】
特開２００２−３０９８３８号公報
【非特許文献２】
建築現場実用語辞典（株式会社井上書院発行）
【０００６】
【発明が解決しようとする課題】
しかしながら、特許文献１によれば、図６及び図７に示すごとく、移動用滑車９５、凹状レール９６、凸状レール９７は、例示されていないが、図５に示すごとく、引き戸９の先端部９４が後端部９６よりも先に開口枠９０の側から離間すると開示されている。
【０００７】
そのため、図６に示すごとく、移動用滑車９５は、引き戸９の横振れにより、凹状レール９６より離間して走行不能状態になり易い問題点がある。これは、図７に示すごとく、凸状レール９７の場合においても同様のことが言える。
なぜならば、引き戸９が横振れした際に、移動用滑車９５の脱輪を防止する壁状物が、凹状レール９６及び凸状レール９７には配設されていないからである。
【０００８】
そこで、本発明は、前記従来の技術における問題点に鑑みてなされたものであり、本発明が解決しようとする課題は、特に下方移動キャスターが床敷レールより走行不能にならず、かつ吊り戸用移動キャスター及び下方移動キャスターが円滑に嵌合移動することが可能な引き戸及びその取付構造を提供しようとするものである。
【０００９】
【課題を解決するための手段】
上記課題を解決するために、本発明が採った手段は、請求項１〜請求項７に記載の示す通りのものである。なお、本発明を具体的に説明するため、実施例において使用する図面の符号を用いて、以下に説明する。
【００１０】
まず、請求項１に記載された発明が採った手段は、ドア上方部に吊り戸用移動キャスター１２を有し、かつドア下方部に床敷レール１６、１９を有する引き戸１であって、
前記ドア上方部の吊り戸用移動キャスター１２は、吊りレール１３内において、嵌合移動する移動用滑車１２１を有し、
前記ドア下方部の下方移動キャスター１５は、床敷レール１６、１９内又は床敷レール１６上を嵌合移動する移動用滑車１２１を有することを特徴とする引き戸１を提供するものである。
これにより、特に下方移動キャスター１５が床敷レール１６、１９内において、脱輪して走行不能とならず、かつ吊り戸用移動キャスター１２及び下方移動キャスター１５が円滑に嵌合移動することが可能な引き戸１及び取付構造を提供することが出来る。
【００１１】
次に、請求項２に記載された発明が採った手段は、ドア上方部の吊り戸用移動キャスター１２は、略扁平中空長方体の下端両側において突出して形成された滑動移動レール部１３１の上を移動用滑車１２１が嵌合移動するよう構成されていることを特徴とする引き戸１を提供するものである。
これにより、吊り戸用移動キャスター１２の移動用滑車１２１、１５、１８は、引き戸１が方向変更時において激しく横振れした時であっても、吊りレール１３の滑動移動レール部１３１より移動用滑車１２１が走行不能となることはない。
【００１２】
そして、請求項３に記載された発明が採った手段は、ドア下方部の下方移動キャスター１５は、床敷レール１６の底面滑動凸部１６１の上を嵌合移動する移動用滑車１２１は床敷レール１６の底面上方開放の略扁平中空長方体１９０の内部において、水平移動回動するよう構成されていることを特徴とする引き戸１を提供しようとするものである。
これにより、下方移動キャスター１５１は略扁平中空長方体１９０より離脱し脱輪することはなく、脱輪して走行不能となることはない。
【００１３】
請求項４に記載された発明が採った手段は、吊りレール１３及び床敷レール１６は、少なくとも移動用滑車１２１、１５、１８が嵌合移動する部分においては、耐摩耗性被膜、摺動円滑性被膜のいずれか、又は双方を有することを特徴とする引き戸１を提供しようとするものである。
これにより、引き戸１の嵌合移動（滑動移動）が円滑になり、吊りレール１３及び床敷レール１６又は床敷レール１９の耐久性が向上する。
【００１４】
そして、請求項５に記載された発明が採った手段は、吊りレール１３及び床敷レール１６は、その両端部において、磁性体、板ばね、弾性プラスチックのいずれかにより構成されている移動用滑車１２１、１５１、１８のストッパーが配設されていることを特徴とする引き戸１を提供しようとするものである。
これにより、引き戸１が横枠であるドア枠（図示略）に当接する際における衝撃が緩和された状態で停止し、引き戸１の端部や横枠が破損することはない。
【００１５】
また、請求項６に記載された発明が採った手段は、ドア枠（図示省略）と、少なくとも該ドア枠に取付け固定された吊りレール１３と、ドア枠又は床面内１７に埋め込み嵌入して取付け固定された床敷レール１６と、ドア上方部に吊り戸用移動キャスター１２とドア下方部に下方移動キャスター１５とを有する引き戸１により、少なくとも構成されたことを特徴とする引き戸１の取付構造を提供するものである。
これにより、ドア枠１４等において、引き戸１を配設すると共に、該ドア枠１４等に隣接する開放時に引き戸１を移動させる隣接した壁面又は隣接した壁面内に配設されたクローザー（戸袋、戸収納場所）を滑動移動させる吊りレール１３及び床敷レール１６又は床敷レール１９を配設させることが出来る。
【００１６】
そして、請求項７に記載された発明が採った手段は、第一工程として床面内に埋め込み嵌入して取付け固定された床敷レール１６と、第２工程として床敷レール１６上又は床敷レール１６内に下方移動キャスター１５を配設させる引き戸１と、第３工程として該引き戸１のドア上方部に配設される吊り戸用移動キャスター１２を吊りレール１３の滑動移動レール部１３１に移動用滑車１２１、１５、１８を配設して嵌合移動できる状態にする吊りレール１３と、第４工程として吊りレール１３をドア上方部のドア枠１４（図５における開口枠９０参照）に吊り戸用移動キャスター１２を取付け固定（図１参照）してなることを特徴とする引き戸１の取付構造を提供するものである。
これにより、吊りレール１３及び床敷レール１６又は床敷レール１９において、ドア上方部の吊り戸用移動キャスター１２及びドア下方部の下方移動キャスター１５を嵌合移動させる状態で引き戸１を設置して、吊りレール１３及び床敷レール１６又は床敷レール１９を介在して、開口枠と隣接した壁面又は隣接した壁面内に配設されたクローザー（戸袋、いずれも図示略）との間を滑動移動する引き戸１の取付構造を提供することが出来る。
【００１７】
【発明の実施の形態】
本発明の実施の形態につき、請求項１〜請求項７及び実施例１及び実施例２に対応させながら、特に実施例において使用する図面に基づいて、本発明の各種態様を具体的かつ詳細に説明する。
【００１８】
まず、図１及び図２は、実施例１に係る引き戸１及びその取付構造を示す部分斜視図及びその一部断面図である。これらの図面に示す引き戸１の形態が、本発明に係る引き戸１の最も代表的な例である。
図１に示すごとく、引き戸１のドア上方部に配設する吊り戸用移動キャスター１２は、吊りレール１３内において、嵌合移動する移動用滑車１２１は吊りレール１３より脱輪して走行不能となることはない。
【００１９】
次に、注目すべきことは、図１の上方に示すごとく、上記吊り戸用移動キャスター１２は、略扁平中空長方体１３３の下端両側に突出して形成された滑動移動レール部１３の上を嵌合移動するよう構成されていることである。これにより、移動用滑車１２１は、たとえ引き戸が開放時及び又は閉止時において、激しく横振れしても吊りレール１３より脱輪して走行不能することはない。
【００２０】
そして、次に注目すべきことは、図１の下方及び図２に示すごとく、ドア下方部の下方移動キャスター１５は、床敷レール１６の底面滑動凸部１６１の上を嵌合移動する移動用滑車１５１を有することではある。これは、上記移動用滑車１５は、略中央部を中心として緩やかな凹部１５０を有し、上記床敷レール１６の底面滑動凸部１６１と常に嵌合した状態で滑動移動するように構成されていることによる。なお、床敷レール１６は、鍔部において床材１７に接合されている。
【００２１】
また、注目すべきことは、上記床敷レール１６の底面滑動凸部１６１の両側においては、上記移動用滑車１５が脱輪しないように脱輪防止ガイド壁１６２、１６２を併設していることである。これにより、引き戸１がたとえ激しく横振れしても、移動用滑車１５１は床敷レール１６より脱輪して走行不能となることはない。これらは、請求項１〜請求項３に記載された発明に対応するものである。
【００２２】
更に注目すべきことは、図３の下方及び図４に示すごとく、ドア下方部の下方移動キャスター１５は、床敷レール１６内又は床敷レール１６上を嵌合移動する移動用滑車１８を有することである。また、図４に示すごとく、床敷レール１６の底面上方開放の略扁平中空長方体１９０の内部において、水平移動回動するよう移動用滑車１８が構成されていることである。
【００２３】
これにより、移動用滑車１８は略扁平中空長方体１９０の内部において脱輪して走行不能となることはない。なぜならば、略扁平中空長方体１９０は、その両側部において、移動用滑車１８の脱輪防止用ガイド壁１９２、１９２を有するからである。
したがって、引き戸１がたとえ激しく横振れしても、移動用滑車１８は略扁平中空長方体１９０より脱輪して、脱輪して走行不能となることはない。
【００２４】
上記吊りレール１３及び床敷レール１６は、例えば軽金属であるアルミニウム又はジュラルミンなどのアルミニウム合金又は弾性プラスチックなどにより構成することが出来る。弾性プラスチックとしては、例えば、塩化ビニール樹脂、ポリアミド、ポリアセタール、ポリエチレン、ポリカーボネートなどの各種熱可塑性樹脂、特にエンジニアリング合成樹脂であることが好ましい。各種の機械的特性に優れているからである。
【００２５】
また、上記引き戸１の本体は、寸法安定木材である木材繊維の異方向性集成材又はこの集成材を芯材とするランバー合板であることが好ましい。これは、上記集成材は、寸法変化率が通常の集成材に比較して小さく、寸法安定性に優れた積層木材だからである。
【００２６】
そして、ドア枠１４（図１参照）や床敷レール１６を配設する床材（床面内１７参照）及び隣接した壁面（図示略）及びこの隣接した壁面内に構成するクローザー（戸袋）なども同様である。これにより、気温や湿度の高低に左右されることなく、歪みや狂いの少ない引き戸１やドア枠１４を構成することが出来るからである。
【００２７】
そして、上記吊り戸用移動キャスター１２及び下方移動キャスター１５は、図１〜図４に示すごとく、吊りレール１３及び床敷レール１６内又は吊りレール１３及び床敷レール１６上を滑動移動するための移動用滑車１２１、１５１（図１、図２参照）、水平移動回動する扁平の車輪１８（図３、図４参照）は、いずれも弾力性及び耐久性に優れた各種ゴム又は弾性プラスチックにより構成することが好ましい。
なお、上記移動用滑車１２１、１５１、１８はいずれも滑動移動可能に、その中心部において、車軸１２２、１５２（図１、図２参照）、同様に車軸１２１、１８１（図３、図４参照）を有する。
【００２８】
また、吊り戸用移動キャスター１２及び下方移動キャスター１５の本体１２（図１、図３参照）は、例えば長方体であって、炭素鋼（ステンレス鋼、その他の鉄合金）又はエンジニアリングプラスチックスにより構成することが好ましい。機械的特性、特に曲げ強度や圧縮強度などの耐久性に優れた材料であることが好ましいからである。
【００２９】
さらに、上記吊りレール１３及び床敷レール１６は、請求項４に記載されているごとく、少なくとも移動用滑車１２１、１５１、１８が嵌合移動する部分において、耐摩耗性被膜、摺動円滑性被膜のいずれか、又は双方を有することが好ましい。耐摩耗性被膜としては、例えばポリウレタン、ポリプロピレンなどのそのプラスチック特性によるものと、塗料中に混入される珪藻土、酸化鉄、炭化珪素、微粉末により、車輪１２１、１５、１８と吊りレール１３及び床敷レール１６との滑動表面の耐摩耗性が向上し、耐久性を向上させるものがある。
【００３０】
一方、摺動円滑性被膜としては、例えば塗料中にスピンドル油、マシン油、ダイナモ油、流動パラフィンをエマルジョン（乳化）混入したものを吊りレール１３及び床敷レール１６上に塗布し、摺動性、滑動円滑性を向上させるもがある。なお、床敷レール１６は、床材１７内に埋め込み嵌入する態様と、ドア下方部のドア枠（図示略）を床面内に埋め込み嵌入する態様とがある。
【００３１】
そして、上記吊りレール１３及び床敷レール１６は、請求項５に記載されているごとく、その両端部において、磁性体、板ばね、弾性プラスチックのいずれかにより構成されている移動用滑車１２１、１５、１８のストッパーが配設されていることが好ましい。
ストッパーとしては、例えば吊りレール１３及び床敷レール１６の略中央部において、移動用滑車１２１、１５、１８が乗り越えられるよう逆Ｖ又は逆Ｕ字状の突起物であって、移動用滑車１２１、１５、１８の半径位の距離（３〜５ミリメートル位）、吊りレール１３及び床敷レール１６の最端部より離れた位置において、移動用滑車１２１、１５、１８を確実に停止させ、衝撃や騒音の発生を最端部当接時に防止することが出来るからである。
【００３２】
次に、引き戸１は、例えば片引きタイプのドア、引き違いタイプドア、引き分けタイプのドアであって、少なくとも吊りレール１３及び床敷レール１６を有する各種のドアに適用可能である。そして、隣接した壁面（図５参照）又はこの隣接した壁面内にクローザー（戸袋）内に、引き戸１を滑動移動して収納させるドアのいずれにも適応できる。
【００３３】
そのためには、隣接した壁面に収納するタイプのドアにあっては、図５に示すごとく吊りレール１３及び床敷レール１６が第一レールを第２レールとにより構成されるものであることが好ましい。本発明に係る引き戸１は、たとえ第一レールより第２レール或いはその逆の場合であっても、その接合点である屈曲レール上で激しい横振れを生じても、車輪１２１、１５、１８が脱輪して走行不能となることはないからである。
【００３４】
次に引き戸１の取付構造について概説する。
引き戸１及びその周縁は、ドア枠１４及び隣接した壁面（図示略）を有し、更にドア枠１４に取付け固定された吊りレール１３、ドア枠１４又は床面内に埋め込み嵌入して取付け固定された床敷レール１６と、ドア上方部に吊り戸用移動キャスター１２とドア下方部に下方移動キャスター１５とを有する引き戸１とにより、少なくとも構成される。これは、請求項９の記載に対応するものである。
【００３５】
そして、ここで注目すべきことは、上記引き戸１の取付構造に当っては、まず第一工程として床面内に埋め込み嵌入して取付け固定された床敷レール１６と、第２工程として床敷レール１６上（図２参照）、又は床敷レール１６内（図４参照）に下方移動キャスター１５を配設される引き戸１であることが好ましい。これにより、引き戸１のドア下方部において、下方移動キャスター１５を床敷レール１６に配設し易くなるからである。
【００３６】
次に、第三工程として、引き戸１のドア上方部に配設される引き戸１と、第四工程として吊りレール１３をドア上方部のドア枠に取付け固定する引き戸の組み立て手順であることが好ましい。これらの記載は、請求項７に対応するものである。引き戸１の取付構造にあたっては、吊りレール１３には下方移動キャスター１５を嵌合移動するよう構成し、他方吊り戸用移動キャスター１２は床敷レール１６上（図２の凸部レール１６１参照）、又は床敷レール１６内（図４の略扁平中空長方体１９０参照）に嵌合移動されることが肝要となるからである。
【００３７】
本発明に係る引き戸１は、以上の取付構造を採用することにより、引き戸１を迅速容易に組み立てることが出来ると共に、特に下方移動キャスター１５が床敷レール１６より脱輪して、特許文献１に開示された従来の引き戸９のごとく、走行不能とはならない。また、吊り戸用移動キャスター１２及び下方移動キャスター１５が円滑に嵌合移動することが可能な引き戸１及びその取付構造を提供することが出来る。
【００３８】
そして、以上のごとく、引き戸１及びその取付構造を提供するに当たっては、以下に、本発明の好ましい実施例１及び実施例２について、図面を用いて具体的に説明する。なお、実施例１及び実施例２は、本発明の好ましい一実施態であって、本発明の技術的範囲やその解釈は、これらに拘束されるものではない。また、実施例１及び実施例２に開示される引き戸１を更に変形したり、改良することも可能である。
（実施例１）
本例は、図１及び図２に示すごとく、下方移動キャスター１５が床面内１７に埋め込み嵌入された床敷レール１６上に、移動用滑車１２１が嵌合移動（滑動移動）可能に配設される引き戸１及びその取付構造を提供するものである。
【００３９】
まず、下方移動キャスター１５は、図１の下方及び図２に示すごとく、床面内１７に配設される。下方移動キャスター１５が床面上に配設されると、下方移動キャスター１５上の走行時において、足のつま先が突出した下方移動キャスター１５に当接し、転倒したり足先を負傷する場合があり得るため、これを防止するためである。
【００４０】
ただし、下方移動キャスター１５を床面内１７に配設する様態に代えて、ドア下方部は床面内１７にドア下枠を埋め込み嵌入する態様もある（請求項６参照）。これにより、新設する床面上に床敷レール１６床面内を配設する場合において、引き戸１の取付構造を容易に形成することが出来る。
【００４１】
上記下方移動キャスター１５は、床敷レール１６の凹部レール１６内において、移動用滑車１５１が嵌合移動可能に配設される。そのためには、まず床面内１７内に床敷レール１６を図１の下方及び図２に示すごとく、所定の位置に接着剤やビズなどの接合手段を用いて配設する。接着剤とビズを併用することも可能である。これにより、下方移動キャスター１５は床面内１７に強固に埋め込み嵌入されて、耐久性に優れた取付け固定することが可能となる。
【００４２】
そして、床敷レール１６の凸状レール１６１上に、引き戸１のドア下方部に配設された移動用滑車１５１の凹状車輪１５０が嵌合移動可能に配設する。
ここで注目すべきことは、図１の下方及び図２に示すごとく、移動用滑車１５０が床敷レール１６の凸状レールより脱輪しないように、凸状レール１６１の両側においては、移動用滑車１５１の脱輪防止用ガイド壁１６２、１６２が形成されていることである。これにより、移動用滑車１５１は引き戸１が方向変更時において激しく横振れしても、脱輪することはなく、走行不能となることはない。
【００４３】
次に、図１の上方に示すごとく、吊り戸用移動キャスター１２は、吊りレール１３の略扁平中空長方体１３０内において、移動用滑車１２１が嵌合移動できるように配設される。
そのためには、移動用滑車１２１が略扁平中空長方体１３０の下端両側において突出して形成された鍔状又は羽根状の滑動移動レール部１３１の上を移動用滑車１２１が嵌合移動できるように構成される。
【００４４】
上述のごとく、図１の上方に示すごとく、吊りレール１３の略扁平中空長方体１３３内に吊り戸用移動キャスターの移動用滑車１２１が出来るよう滑動移動レール部１３１に配設すると共に、ドア上方部のドア枠１４を吊りレール１３の略コ字状の嵌合用凹部１３３内において、例えば酢酸ビニールエマルジョンタイプの木工用接着剤（図示略）を介在して、ドア上方部のドア枠１４に取付け固定する。これにより、図１に示すごとく、引き戸１のドア上方部において、吊り戸用移動キャスター１２の移動用滑車１２１が嵌合移動出来るよう吊りレール１３の略扁平中空長方体１３３内において、移動用滑車１２１が滑動移動レール部１３１上に配設されて、引き戸１を前後に滑動移動させることが出来る。
【００４５】
ここで注目すべきことは、図１に示すごとく、吊りレール１３は略扁平中空長方体１３０の両側部において、移動用滑車１２１が脱輪しないよう脱輪防止ガイド壁１３４、１３４が形成されていることである。これにより、吊りレール１３においても移動用滑車１２１は、引き戸１が方向変更時において激しく横振れしても、吊りレール１３の略扁平中空長方体１３０内において、脱輪して走行不能となることはない。
【００４６】
なお、上記吊りレール１３又は上枠としてのドア枠１４は、鴨居（図示略）に上記木工用の接着剤や接合用のビス（図示略）を用いて、当業者が通常実施する方法により取付け固定される。また、床材も同様に、根太や大引（いずれも図示略）上に形成される。
【００４７】
そして、上記ドア枠１４や鴨居（上枠を兼ねる場合もある）は、前記寸法安定木材としての集成材により構成される。また、引き戸１には、上記集成材を芯材とするランバー合板などが使用される。また、床材はフローリングとして一般によく知られた突板貼り合板（例えば、厚さが１２ミリメートル）が使用される。なお、引き戸１、ドア枠１４などは、予め工場で機械加工されたプレカット製品を使用した。
【００４８】
一方、吊りレール１３及び床敷レール１６は、例えばジュラルミンなどのアルミニウム合金又はエンジニアリングプラスチックス成形品が使用される。そして、上記アルミニウム合金により吊りレール１３及び床敷レール１６を構成する場合においては、下地処理した後、耐摩耗性被膜及び又は摺動円滑性被膜としてのウレタン樹脂塗料中に珪藻土やタンカケイ素微粉末を混入したものが、少なくとも移動用滑車１２１、１５１、１８が嵌合移動する部分に塗布される。なお、吊りレール１３及び床敷レール１６をエンジニアリングプラスチックス成形品により構成する場合には、これらの材料自体が摺動円滑性や耐摩耗性に優れているため、特に耐摩耗性被膜及び又は摺動円滑性被膜を塗布する必要はない。
【００４９】
以上説明した引き戸１の取付構造によれば、特に下方移動キャスター１５が床敷レール１６より走行不能とならず、かつ吊り戸用移動キャスター１２の移動用滑車１２１や下方移動キャスター１５の移動用滑車１６が円滑に嵌合移動することが可能な引き戸１及びその取付構造を提供することが出来る。
（実施例２）
本例は、図３及び図４に示すごとく、実施例１におけるドア下方部の下方移動キャスター１５及び床敷レール１６に代えて、開放時する移動用滑車１８が床敷レール１９の略扁平中空長方体１９０内において嵌合移動するよう構成された引き戸１及びその取付構造を提供するものである。
【００５０】
上記開放時する移動用滑車１８は、その略中央部に引き戸１のドア下方部に回動可能に配設された回動軸１８１を有する。また、上記床敷レール１９は、略扁平中空長方体１９０の左右に２段Ｌ字状に形成された鍔状又は羽根状の取付用段部１９３、１９３を有する。そのため、床敷レール１９を床面内１７に埋め込み嵌入し、実施例１において使用した接着剤及び又は接合用ビスを用いて、図４に示すごとく、床敷レール１９が床上に余り突出しない状態で取付け固定する。
【００５１】
そして、床敷レール１９の材料や床材及び引き戸１本体やドア枠１４（図３参照）の材料も、実施例１における吊りレール１６の材料や床材及び引き戸１本体やドア枠１４（図１参照）と同様の構成とした。また、移動用滑車１２１、１５１、１８（図３参照）も、移動用滑車１２１、１５１、（図１参照）と同様にした。
【００５２】
したがって、本例によれば、実施例１と同様に、移動用滑車１２１、１８は、滑動移動レール部１３１及び略扁平中空長方体１９０より脱輪することなく、走行不能とならず、かつ吊り戸用移動キャスター１２１及び開放時の移動用滑車１８が円滑に嵌合移動することが可能な引き戸１及びその取付構造を提供することが出来る。
【発明の効果】
本発明は、請求項１〜請求項７に記載された発明により、構成されているため、下記に記載するような諸々の効果を奏する。
まず、請求項１に記載された発明によれば、特に下方移動キャスター１５が床敷レール１６、１９内において、引き戸の方向変更時において、走行不能とならず、かつ吊り戸用移動キャスター１２及び下方移動キャスター１５の移動用滑車１２１、１５１、１８が円滑に嵌合移動することが可能な引き戸１及びその取付構造を提供することが出来る。
【００５３】
次に、請求項２に記載された発明によれば、吊り戸用移動キャスター１２の移動用滑車１２１、１５１、１８は、引き戸１が激しく横振れした時であっても、吊りレール１３の滑動移動レール部１３１より移動用滑車１２１、１５１、１８が脱輪して走行不能となることはない。
また、請求項３に記載された発明によれば、下方移動キャスター１５は略扁平中空長方体１９０より離脱して脱輪することはなく、走行不能となることはない。
【００５４】
一方、請求項４に記載された発明によれば、引き戸１の嵌合移動（滑動移動）が円滑になり、吊りレール１３及び床敷レール１６又は床敷レール１９の耐久性が向上する。
そして、請求項５に記載された発明によれば、引き戸１が横枠であるドア枠（図示略）に当接する際における衝撃が緩和された状態で停止し、引き戸１の端部や横枠であるドア枠が破損することはない。
【００５５】
また、請求項６に記載された発明によれば、ドア枠１４等において、引き戸１を配設すると共に、該ドア枠１４等に隣接する開放時に引き戸１を移動させる隣接した壁面（図示略）又は隣接した壁面内に配設されたクローザー（戸袋、戸収納場所）を滑動移動させる吊りレール１３及び床敷レール１６又は床敷レール１９を配設させることが出来る。
そして、請求項７に記載された発明によれば、吊りレール１３及び床敷レール１６又は床敷レール１９において、ドア上方部の吊り戸用移動キャスター１２及びドア下方部の下方移動キャスター１５を嵌合移動させる状態で引き戸１を設置して、吊りレール１３及び床敷レール１６又は床敷レール１９を介在して、開口枠と隣接した壁面又は隣接した壁面に配設されたクローザー（戸袋、いずれも図示略）との間を滑動移動する引き戸１の取付構造を提供することが出来る。
【図面の簡単な説明】
【図１】本発明の実施例１に係る引き戸の一部斜視図。
【図２】本発明の実施例１に係る引き戸のドア下方部の一部断面図。
【図３】本発明の実施例２に係る引き戸の一部斜視図。
【図４】本発明の実施例２に係る引き戸の一部断面図。
【図５】特許文献１に係る引き戸の一部断面を含む平面図。
【図６】従来の引き戸のドア下方部の一部断面図。
【図７】従来の引き戸のドア下方部の別態様の一部断面図。
【符号の説明】
１………………引き戸
１１……………引き戸本体
１２……………吊り戸用移動キャスター
１２１…………移動滑車
１３……………吊りレール
１４……………ドア枠（上枠）
１５、１８……移動用滑車
１６、１９……床敷レール
１７……………床面内
【図１】
2005042304.tif 000003
【図２】
2005042304.tif 000004
【図３】
2005042304.tif 000005
【図４】
2005042304.tif 000006
【図５】
2005042304.tif 000007
【図６】
2005042304.tif 000008
【図７】
2005042304.tif 000009